(57)【要約】      （修正有）【課題】複雑な冷却機構を用いていないＸ線管用の対物レンズを提供する。【解決手段】対物レンズ１は、対物レンズ内側コア１０と、内側コア１０上に配置された内側対物レンズコイル１２と、内側コア１０の周囲に配置された対物レンズ外側コア１１とを備えており、内側対物レンズコイル１２と対物レンズ外側コア１１との間に、外側対物レンズコイル１３が配置されており、外側対物レンズコイル１３は、同じ巻数を有する２つの対物レンズ線材部分１３ａ，１３ｂを有している。【選択図】図１
2019050189.tif 000002
【特許請求の範囲】
【請求項１】
Ｘ線管用、特にマイクロフォーカスＸ線管用の対物レンズ（１）であって、
対物レンズ内側コア（１０）と、前記対物レンズ内側コア（１０）上に配置された内側対物レンズコイル（１２）と、前記対物レンズ内側コア（１０）の周囲に配置された対物レンズ外側コア（１１）とを備えており、
前記内側対物レンズコイル（１２）と前記対物レンズ外側コア（１１）との間に、外側対物レンズコイル（１３）が配置されており、
前記外側対物レンズコイル（１３）は、同じ巻数を有する２つの対物レンズ線材部分（１３ａ，１３ｂ）を有している、対物レンズ（１）。
【請求項２】
Ｘ線管用、特にマイクロフォーカスＸ線管用の集束レンズ（２）であって、
集束レンズ内側コア（２０）と、前記集束レンズ内側コア（２０）上に配置された内側集束レンズコイル（２２）と、前記内側集束レンズコイル（２２）の周囲に配置された集束レンズ外側コア（２１）とを備えており、
前記内側集束レンズコイル（２２）と前記集束レンズ外側コア（２１）との間に、外側集束レンズコイル（２３）が配置されており、
前記外側集束レンズコイル（２３）は、同じ巻数を有する２つの集束レンズ線材部分（２３ａ，２３ｂ）を有している、集束レンズ（２）。
【請求項３】
前記対物レンズ（１）の前記外側対物レンズコイル（１３）の前記２つの対物レンズ線材部分（１３ａ，１３ｂ）又は前記集束レンズ（２）の前記外側集束レンズコイル（２３）の前記２つの前記集束レンズ線材部分（２３ａ，２３ｂ）は、それぞれ反対方向に巻かれている、請求項１に記載の対物レンズ（１）又は請求項２に記載の集束レンズ（２）。
【請求項４】
Ｘ線管用、特にマイクロフォーカスＸ線管用の集束レンズ（２）であって、
集束レンズ内側コア（２０）と、前記集束レンズ内側コア（２０）上に配置された内側集束レンズコイル（２２）と、前記内側集束レンズコイル（２２）の周囲に配置された集束レンズ外側コア（２１）とを備えており、
内側集束レンズコイル（２２）は、それぞれ同じ巻数を備えている偶数個の磁界線材部分（２２ａ，２２ｂ，２２ｃ，２２ｄ）を有している、集束レンズ（２）。
【請求項５】
前記磁界線材部分（２２ａ，２２ｂ，２２ｃ，２２ｄ）の数が４である、請求項４に記載の集束レンズ（２）。
【請求項６】
Ｘ線管、特にマイクロフォーカスＸ線管であって、
請求項１又は３に記載の対物レンズ（１）と、請求項２，４又は５のいずれか１項に記載の集束レンズ（２）とを備えており、
前記外側対物レンズコイル（１３）は、第１のフィラメント電流源に接続されており、かつ／又は、前記外側の集束レンズコイル（２３）は、第２のフィラメント電流源に接続されており、前記第１及び第２のフィラメント電流源は、前記外側対物レンズコイル（１３）の前記２つの対物レンズ線材部分（１３ａ，１３ｂ）が互いに打ち消し合う磁界を発生させるように、かつ／又は、前記外側集束レンズコイル（２３）の前記２つの集束レンズ線材部分（２３ａ，２３ｂ）が互いに打ち消し合う磁界を発生させるように取付けられている、Ｘ線管。
【請求項７】
前記外側対物レンズコイル（１３）の前記２つの対物レンズ線材部分（１３ａ，１３ｂ）及び／又は前記外側集束レンズコイル（２３）の前記２つの集束レンズ線材部分（２３ａ，２３ｂ）は、直列に接続されている、請求項３と組み合わせられた請求項６に記載のＸ線管。
【請求項８】
前記フィラメント電流源の少なくとも１つは、制御システムに接続されており、前記制御システムは、前記対物レンズ（１）及び／又は前記集束レンズ（２）の温度を測定する温度センサに接続されている、請求項６又は７に記載のＸ線管。
【請求項９】
請求項２，４又は５のいずれか１項に記載の集束レンズ（２）を備えたＸ線管、特にマイクロフォーカスＸ線管であって、磁界源（４）が存在しており、前記磁界源（４）は前記内側集束レンズコイル（２２）に接続されている、Ｘ線管。
【請求項１０】
請求項６〜９のいずれか１項に記載のＸ線管、特にマイクロフォーカスＸ線管を操作する方法であって、前記内側集束レンズコイル（２２）の個々の前記磁界線材部分（２２ａ，２２ｂ、２２ｃ、２２ｄ）の磁界は、第１の動作モードにおいて互いに打ち消し合い、第２の動作モードにおいて全て合算される、方法。
【請求項１１】
前記内側集束レンズコイル（２２）の個々の前記磁界線材部分（２２ａ，２２ｂ、２２ｃ、２２ｄ）の前記磁界が、第３の動作モードにおいて部分的に互いに打ち消し合う、請求項１０に記載の方法。
【発明の詳細な説明】
【技術分野】
【０００１】
本発明は、Ｘ線管用の対物レンズ、Ｘ線管用の集束レンズ、並びに、そのような対物レンズ及び／又はそのような集束レンズを備えたＸ線管並びにそのようなＸ線管を操作する方法に関する。該Ｘ線管は、特に、マイクロフォーカスＸ線管である。
【背景技術】
【０００２】
Ｘ線管の操作中には、焦点スポットの形状、寸法及び位置が変化するが、このことは、マイクロフォーカスＸ線管に非常に広く該当する。この変化は、部分的には、Ｘ線管のコンポーネントの温度変化に起因している。このような焦点スポットの変化は、Ｘ線管がイメージング法において使用される際に、イメージング品質に対して悪影響を及ぼす。
【０００３】
この問題に対する解決手段として、特許文献１には、冷却流体を用いた未制御の冷却によりＸ線管のコイルを熱的に安定化させる旨が提示されている。Ｘ線管は、一定量の体積流量の冷却媒体によって、外部の影響から独立して冷却される。管の出力、周囲温度及びコイル電流に応じて、不定の温度平衡が生じる。これにより、冷却されていないＸ線管と比較すると、より絶対値の低い温度平衡が達成される。その結果、周囲温度との温度差が小さくなるため、温度平衡がより迅速に達成され得る。この手法は、冷却流体用の流路をコイル内に導入する必要があると共に、冷却回路を高真空環境に配置するかＸ線管の外側に冷却を当てる必要があるため複雑であり、そのためＸ線管が非常に大きくなる。
【先行技術文献】
【特許文献】
【０００４】
【特許文献１】独国特許出願公開第１０２０１００３２３３８号明細書
【発明の概要】
【発明が解決しようとする課題】
【０００５】
したがって、本発明の目的は、焦点スポットを可能な限り一定に保つことができるが、冷却流体による複雑な冷却を伴わない代替手段を提供することにある。
【課題を解決するための手段】
【０００６】
上記目的は、請求項１の特徴に従う対物レンズによって達成される。外側対物レンズコイルの２つの対物レンズ線材部分が同じ巻数を有するため、これらに同じ電流強度の電流を供給することが可能であり、その結果、それぞれの磁界は等しい大きさとなる。これらの磁界が反対向きに並んでいることが確実である場合、それらは互いに打ち消し合い、その結果、得られる磁界総計がゼロになる。このことは、本質的に２つの設計によって達成され得る。すなわち、巻線が反対方向に実現されている場合には、２つの対物レンズ線材部分が直列に接続されると共に電流が同じフィラメント電流源によって供給され得る設計、又は、２つの対物レンズ線材部分が反対方向に実現されていない場合には、同じ電流強度であるが反対方向に電流を供給する必要がある設計のいずれかである。当業者は、そのような実施形態をどのようにして製造するかを理解している。したがって、外側対物レンズコイルの磁界総計は、Ｘ線管の電子ビームの誘導に影響を及ぼさず、むしろ対物レンズコイル内に熱を発生させるようにのみ機能する。その結果、温度差は、技術水準と同様に、ここでは時間の経過とともに減少する。したがって、Ｘ線管の焦点を安定化させる効果が、対物レンズコイルに導入するのが複雑となる冷却流体を使用することなく得られる。
【０００７】
本目的は、請求項２の特徴を備えた集束レンズによっても達成される。本発明に係る集束レンズの設計は、原則的には直前に説明した本発明に係る対物レンズの設計と同じであり、そこで示された利点を備えている。
【０００８】
本発明の有利な発展形態は、対物レンズの外側対物レンズコイルの２つの対物レンズ線材部分又は集束レンズの外側集束レンズコイルの２つの集束レンズ線材部分が、それぞれ反対方向に巻かれていることを提供する。その結果、同じフィラメント電流源を用いて追加のデバイスを用いることなく、２つの対物レンズ線材部分又は２つの集束レンズ線材部分への電流の供給を直列接続によって行うことができるという点で、既に上述した平行巻線に対して有利となる。
【０００９】
本目的は、請求項４の特徴を備えた集束レンズによっても達成される。内側集束レンズコイルは偶数個の磁界線材部分、例えば２，４，６，８又は１０個の磁界線材部分に分割されているため、この内側集束レンズコイルによって発生される磁界の磁界強度は、内側集束レンズコイルへの電力入力が変化することなく種々変化可能であり、このとき、個々の磁界線材部分には電流が供給され、これにより、それぞれの場合に発生する個々の磁界線材部分の（部分的な）磁界（それぞれの場合において巻数が同じであるため、該磁界は同じ電流強度では等しい大きさである）が互いに打ち消し合う又は増強されるため、結果的に得られる磁界強度総計は、一方の極値ではゼロであり、他方の極値では個々の磁界強度の合計である。内側集束レンズコイル全体への電力入力は、たとえ異なる磁界強度が生成されたとしても変化しない。したがって、電力入力は一定に保たれる。その結果、内側集束レンズコイルの熱変化に起因する、該集束レンズコイルにて発生する異なる強度の磁界に対する焦点スポットの変化がなくなる。言うまでもないが、より多くの磁界線材部分が存在するほど、達成可能な磁界強度間の細分化はより細かくなる。そのため、２つの磁界線材部分が使用される際には、内側集束レンズコイルを遮断すること（磁界強度の合計はゼロである）又は最大磁界強度を生成することのみが可能である。これに対し、６つの磁界線材部分が使用される際には、２つの中間段階（磁界強度総計の１／３又は２／３）が選択可能である。
【００１０】
本発明の有利な発展形態は、磁界線材部分の数が４であることを提供する。磁界線材部分を４つに分割することにより、スイッチオフモード（それぞれの場合における２つの磁界線材部分の反対の磁界強度により、磁界強度がゼロになる）及び最大磁界強度（４つの個々の磁界強度の全てが合算される）に加えて、半磁界強度モード（３つの磁界強度が一方向に向けられると共に１つの磁界強度が反対方向に向けられ、その結果、全体として２つの磁界強度が互いに打ち消し合う）もまた設定することができる。
【００１１】
本目的は、請求項６の特徴を備えたＸ線管によっても達成される。フィラメント電流源は対物レンズ線材部分又は集束レンズ線材部分に同じ電流強度の電流を供給するが、反対方向の磁界強度が発生するため、磁界が互いに打ち消し合い、それぞれのコイルに熱が発生するにも関わらず磁界が得られない。その結果、請求項１に関連して既に上述した利点が生じる。当業者は、指定される個々の電場強度を達成するために、どのようにフィラメント電流源を対物レンズ線材部分又は集束レンズ線材部分に接続する必要があるかについて理解している。
【００１２】
本発明の有利な発展形態は、外側対物レンズコイルの２つの対物レンズ線材部分及び／又は外側集束レンズコイルの２つの集束レンズ線材部分が、直列に接続されていることを提供する。それぞれの線材部分が反対方向に巻かれて直列に接続される際に、単一のフィラメント電流源のみを外側対物レンズコイル又は外側集束レンズコイルに対して使用することができ、それによって追加の要素を用いることなく電流供給を非常に簡単な方法で行うことができる。
【００１３】
本発明のさらなる有利な発展形態は、フィラメント電流源の少なくとも１つが、制御システムに接続されており、該制御システムが、対物レンズ及び／又は集束レンズの温度を測定する温度センサに接続されていることを提供する。このような制御システムにより、熱出力を変更することができ、その結果、対物レンズ及び／又は集束レンズの温度を、変化した状況に適合させることが可能になり、それによって焦点スポットのさらなる良好な安定化が達成され得る。
【００１４】
本目的は、請求項９の特徴を備えたＸ線管によっても達成される。そのようなＸ線管では、請求項４及びその４つの磁界線材部分を備えた発展形態に関して上述した利点が結果として生じる。
【００１５】
本目的は、請求項１０の特徴を有するＸ線管を操作する方法によっても達成される。本発明による２つの動作モード（磁界強度総計ゼロ及び最大磁界強度）によって、請求項４に関して既に上述したものと同じ利点が達成される。
【００１６】
本発明の有利な発展形態は、内側集束レンズコイルの個々の磁界線材部分の磁界が、第３の動作モードにおいて部分的に互いに打ち消し合うことを提供する。存在する磁界線材部分の数に応じて、特定の数の中間段階（磁界強度ゼロと最大磁界強度との間）が選択可能であるため、導入された電力が変化することにより生じる熱を発生させることなく、Ｘ線管をより柔軟に使用できるようになる。
【００１７】
本発明の更なる利点及び詳細は、図面に表される実施形態の例を参照して、以下により詳細に説明される。
【図面の簡単な説明】
【００１８】
【図１】本発明に係るＸ線管における、本発明に係る集束レンズ及び本発明に係る対物レンズの概略的縦断面図。
【図２ａ】本発明に係るＸ線管の本発明による第１の動作モードの概略図。
【図２ｂ】本発明に係るＸ線管の本発明による第３の動作モードの概略図。
【図２ｃ】本発明に係るＸ線管の本発明による第２の動作モードの概略図。
【発明を実施するための形態】
【００１９】
図１には、本発明に係るマイクロフォーカスＸ線管の詳細が、その集束レンズ２及びその対物レンズ１の領域において、概略的な縦断面図に示されている。マイクロフォーカスＸ線管の残りの部分は図示されていないが、技術水準に対応したものであって、本発明とは関連がない。マイクロフォーカスＸ線管の代わりに、別のタイプのＸ線管であることも可能である。
【００２０】
集束レンズ２及び対物レンズ１は、電子ビーム３のための管の周囲に配置されている。電子ビーム３の方向において、集束レンズ２は、対物レンズ１の前方に位置している。
【００２１】
集束レンズ２は、集束レンズ内側コア２０を有しており、集束レンズ内側コア２０は、電子ビーム３のための管周りに回転対称に実現され、それによって形成される。集束レンズの内側コア２０もまた、電子ビーム３へと垂直に延びており、その外側において外壁の一部を形成し、そこでは管形状を有している。
【００２２】
電子ビーム３の方向における前方には、集束レンズ外側コア２１が配置されている。集束レンズ外側コア２１は、電子ビーム３に対して垂直に延びる前壁（中央に電子ビーム３のための開口を有する）に加えて、管状コンポーネントを有する。該管状コンポーネントは、外壁の一部でもあり、集束レンズ内側コア２０によって形成される外壁の一部と同一平面にある。
【００２３】
集束レンズ内側コア２０の中央部分には、内側集束レンズコイル２２が配置され、これもまた電子ビーム３のための管を形成している。内側集束レンズコイル２２は、それぞれ同じ巻数を有する４つの線材部分を備えており、電子ビーム３の方向において、以下の順に積み重なって（このバージョンは図１に示されている）又は連続して配置される：第１の磁界線材部分２２ａ、第２の磁界線材部分２２ｂ、第３の磁界線材部分２２ｃ、第４の磁界線材部分２２ｄ。
【００２４】
内側集束レンズコイル２２の周囲には、外側集束レンズコイル２３が配置されている。外側集束レンズコイル２３は、それぞれ同じ巻数を有する２つの線材部分を備えており、電子ビーム３の方向において、以下の順に積み重なって（このバージョンは図１に示されている）又は連続して配置される：第１の集束レンズ線材部分２３ａ、第２の集束レンズ線材部分２３ｂ。これらの２つの線材部分は、互いに反対方向に巻かれている。
【００２５】
対物レンズ１は、対物レンズ内側コア１０を有しており、対物レンズ内側コア１０は、電子ビーム３のための管周りに回転対称に実現され、それによって形成される。対物レンズの内側コア１０もまた、電子ビーム３へと垂直に延びており、その外側において外壁の一部を形成し、そこでは管形状を有している。該外壁の一部は、対物レンズ内側コア１０によって形成される外壁の一部と同一平面にあると共に、その外壁に結合される。
【００２６】
電子ビーム３の方向における前方には、対物レンズ外側コア１１が配置されている。対物レンズ外側コア１１は、電子ビーム３に対して垂直に延びる前壁（中央に電子ビーム３のための開口を有する）に加えて、管状コンポーネントを有する。該管状コンポーネントは、外壁の一部でもあり、対物レンズ内側コア１０によって形成される外壁の一部と同一平面にある。
【００２７】
対物レンズ内側コア１０の内側部分には、内側対物レンズコイル１２が配置され、これもまた、技術水準より理解されるようにして、電子ビーム３のための管を形成している。
【００２８】
内側対物レンズコイル１２の周囲には、外側対物レンズコイル１３が配置されている。外側対物レンズコイル１３は、それぞれ同じ巻数を有する２つの線材部分を備えており、電子ビーム３の方向において、以下の順に積み重なって（このバージョンは図１に示されている）又は連続して配置される：第１の対物レンズ線材部分１３ａ、第２の対物レンズ線材部分１３ｂ。これらの２つの線材部分は、互いに反対方向に巻かれている。
【００２９】
第１の集束レンズ線材部分２３ａ及び第２の集束レンズ線材部分２３ｂはいずれも、互いに反対方向に巻かれていると共に同じ巻数を有しており、両者には同じ電流が第２のフィラメント電流源（図示しない）より供給される。このため、両者は、一方のすぐ後に他方があるように、直列に接続され得る。これによって、２つの線材部分によって生成された２つの磁界が互いに打ち消し合うため、外側集束レンズコイル２３全体について得られる磁場強度がゼロになる。そのため、外側集束レンズコイル２３は、電流が供給される際において熱のみを生成し、電子ビーム３の軌道に影響を及ぼすこととなる磁界を生成しない。したがって、第２のフィラメント電流源の既存の電流強度を変更すると、集束レンズ２全体の熱に影響が及ぼされ得る。集束レンズ２の温度を検出する温度センサ（図示しない）と、該温度センサに接続された制御システム（図示しない）とによって、第２のフィラメント電流源の電流強度の変化を介して集束レンズ２の温度を実質的に一定に保つことができ、その結果、集束レンズ２に対する熱的影響に起因するマイクロフォーカスＸ線管の焦点スポットの変化が生じなくなる。温度センサ、制御システム及び第２のフィラメント電流源を備えたそのような装置は、原則的に当業者に理解されている。
【００３０】
外側対物レンズコイル１３についても、直前に述べた外側集束レンズコイル２３と同様のことが適用される。すなわち、第１の対物レンズ線材部分１３ａ及び第２の対物レンズ線材部分１３ｂはいずれも、互いに反対方向に巻かれていると共に同じ巻数を有しており、両者には同じ電流が第１のフィラメント電流源（図示しない）より供給される。このため、両者は直接前後に並べて直列に接続され得る。これによって、２つの線材部分によって生成された２つの磁界が互いに打ち消し合うため、外側対物レンズコイル１３全体について得られる磁場強度がゼロになる。そのため、外側対物レンズコイル１３は、電流が供給される際において熱のみを生成し、電子ビーム３の軌道に影響を及ぼす磁界を生成しない。したがって、第１のフィラメント電流源の既存の電流強度を変更すると、対物レンズ１全体の熱に影響が及ぼされ得る。これにより、対物レンズ１の温度を検出する温度センサ（図示しない）と、該温度センサに接続された制御システム（図示しない）とによって、第１のフィラメント電流源の電流強度の変化を介して対物レンズ１の温度を実質的に一定に保つことができ、その結果、対物レンズ１に対する熱的影響に起因するマイクロフォーカスＸ線管の焦点スポットの変化が生じなくなる。温度センサ、制御システム及び第１のフィラメント電流源を備えたそのような装置は、原則的に当業者に理解されている。
【００３１】
したがって、電子ビーム３の変化については、外側集束レンズコイル２３及び外側対物レンズコイル１３ではなく、内側集束レンズコイル２２及び内側対物レンズコイル１２が原因となる。内側対物レンズコイル１２に関しては、従来技術より既知の対物レンズコイルであり、その構造の面では本発明にとって本質的ではないため、その動作モードについてより詳細に説明する必要はない。
【００３２】
しかしながら、本発明に係る内側集束レンズコイル２２は、基本的に、従来技術より既知の集束レンズコイルとは異なるように構成されている（上記説明を参照のこと）。以下に記載する既知の集束レンズコイルの場合では、該集束レンズコイルが、本発明に係る内側集束レンズコイル２２における４つの線材部分の合計と同じ巻数を有すると仮定する。他の具体的な特徴についても、技術水準に係る集束レンズコイルと本発明に係る内側集束レンズコイル２２との比較を可能にするために、対応しているべきである。
【００３３】
既知の集束レンズコイルの場合、該集束レンズコイルは１つの連続巻線のみを有しており、磁界の強さの調整は、集束レンズコイルに接続された電流源の電流の変化によって行われる。磁界が存在しない場合には、電流強度は０Ａである。そのため、集束レンズコイルへの電力入力は０Ｗである。このとき、集束レンズコイルの温度は、例えば２５℃である。中程度の磁界が必要な場合には、例えば１Ａの電流強度が用いられ、１５Ｖの定電圧が印加されている場合には１５Ｗの電力入力が生じ、そのため集束レンズコイルの温度は、例えば３５℃となる。強い磁界の場合には、例えば２Ａの電流強度が用いられ、電圧が３０Ｖの場合には、６０Ｗの電力入力と、例えば６０℃の集束レンズコイルの温度とが得られる。温度変化が激しいと、焦点スポットに対して影響が及ぶ。
【００３４】
同じ巻数の４つの線材部分を有する本発明に係る内側集束レンズコイル２２の構造は、以下により詳細に説明されると共に図２ａ〜図２ｄに表された４つの線材部分の異なる相互接続によって電力入力を一定に保つことが可能になり、それによって内側集束レンズコイル２２の温度が一定になる。その他の境界条件の場合には、従来技術より既知の集束レンズコイルに関して前段落に述べた通りである。４つの線材部分は磁界電流源４に接続されており、この磁界電流源４は、前段落に記載された既知の集束レンズコイルの場合における強い磁界の場合と同様に、２Ａの電流にて一定で動作している。上記と同じ電圧の場合、６０Ｗの電力入力が常に存在している。このことは、内側集束レンズコイルの温度が、例えば６０℃にて一定であることを意味する。後述する内側集束レンズコイル２２全体の異なる磁界強度を可能にするために、磁界電流源４は、４つの線材部分（第１の磁界線材部分２２ａ、第２の磁界線材部分２２ｂ、第３の磁界線材部分２２ｃ、第４の磁界線材部分２２ｄ）に、当業者に既知の回路を介して接続されており、それによって個々の線材部分での異なる電流方向が可能になる。
【００３５】
図２ａに示される回路では、第１の磁界線材部分２２ａ及び第２の磁界線材部分２２ｂには同じ方向に電流が流れるが、第３の磁界線材部分２２ｃ及び第４の磁界線材部分２２ｄには最初に述べた２つの部分とは反対方向に電流が流れる。したがって、個々の線材部分の磁界が互いに打ち消し合い、結果として生じる磁界はなくなる。
【００３６】
図２ｂに示される回路では、第１の磁界線材部分２２ａ、第２の磁界線材部分２２ｂ及び第３の磁界線材部分２２ｃには同じ方向に電流が流れるが、第４の磁界線材部分２２ｄには最初に述べた３つの部分とは反対方向に電流が流れる。したがって、２つの部分的な磁界が互いに打ち消し合い、結果として生じる磁界は、２つの線材部分の合計となる。これは、上述したように、既知の集束レンズコイルの場合における弱い磁界に対応している。
【００３７】
図２ｃに示される回路では、第１の磁界線材部分２２ａ、第２の磁界線材部分２２ｂ、第３の磁界線材部分２２ｃ及び第４の磁界線材部分２２ｄの全てにおいて同じ方向に電流が流れる。これは、上述したように、既知の集束レンズコイルの場合における強い磁界に対応している。
【００３８】
内側集束レンズコイル２２の巻数をより多くの線材部分へとさらに細分化する場合には、ゼロと最大磁界強度との間における中間磁界強度のさらに細かい調節が生成可能であることは明らかである。ここで、最大磁界強度は、全ての線材部分において同じ方向に電流が流れる際の磁界強度である。
【００３９】
要約すると、本発明による主な態様の１つは、一定の温度における内側集束レンズコイル２２の異なる磁界強度が、線材部分内の電流方向を異なるように分布させることのみにより、回路を用いて達成できることである。磁界強度が変化しても温度変化が生じないため、熱の影響に起因する焦点スポットの変化がなくなる。
【００４０】
内側集束レンズコイル２２の個々の線材部分の全てが同じ巻数を有することは、絶対に必要というわけではない。原則的には、任意の他の細分化も可能であり、結果として得られる磁界強度総計がゼロとなる少なくとも１つの組み合わせが可能であることさえ保証されればよい。したがって、例えば、総巻数を１／４＋１／８＋１／８＋１／８＋１／８＋１／４の比率で細分化することも可能である。
【符号の説明】
【００４１】
１      対物レンズ
２      集束レンズ
３      電子ビーム
４      磁界電流源
１０    対物レンズ内側コア
１１    対物レンズ外側コア
１２    内側対物レンズコイル
１３    外側対物レンズコイル
１３ａ  第１の対物レンズ線材部分
１３ｂ  第２の対物レンズ線材部分
２０    集束レンズ内側コア
２１    集束レンズ外側コア
２２    内側集束レンズコイル
２２ａ  第１の磁界線材部分
２２ｂ  第２の磁界線材部分
２２ｃ  第３の磁界線材部分
２２ｄ  第４の磁界線材部分
２３    外側集束レンズコイル
２３ａ  第１の集束レンズ線材部分
２３ｂ  第２の集束レンズ線材部分
【図１】
2019050189.tif 000003
【図２ａ】
2019050189.tif 000004
【図２ｂ】
2019050189.tif 000005
【図２ｃ】
2019050189.tif 000006
【外国語明細書】
2019050189.tif 000007
2019050189.tif 000008
2019050189.tif 000009
2019050189.tif 000010
2019050189.tif 000011
2019050189.tif 000012
2019050189.tif 000013
2019050189.tif 000014
2019050189.tif 000015
2019050189.tif 000016
2019050189.tif 000017
2019050189.tif 000018
2019050189.tif 000019
2019050189.tif 000020
2019050189.tif 000021
2019050189.tif 000022
2019050189.tif 000023
【Ｆｉｇ１】
2019050189.tif 000024
【Ｆｉｇ２ａ】
2019050189.tif 000025
【Ｆｉｇ２ｂ】
2019050189.tif 000026
【Ｆｉｇ２ｃ】
2019050189.tif 000027